(57)【要約】      （修正有）【課題】積み重ねた状態で、下段のボックスを開けることができるとともに、便利に折り畳める収納ボックスを提供する。【解決手段】開け口が収納ボックス本体１の前方斜め上に向くようにフタ２を設置する。フタ２に磁石４と、フタの縁側に方形の鉄片６を付け、二つ以上のボックスを積み重ねている状態で、下段ボックスのフタを開けると、磁石が上にあるボックスのフタの鉄片に吸着され、フタを開けたままで固定できる。また、ボックスは内部に折り畳み式の敷板７と、ボックスの両側中央部に折り畳みすることができるように垂直の折り目線を有する。【選択図】図３
0003200229.tif 000002
【実用新案登録請求の範囲】
【請求項１】
ボックス１と、フタ２とで構成される収納ボックスにおいて、ボックス１の前面にフタ２をつけ、フタ２の下縁部および、ボックス１の前面開け口に面ファスナー３を備えていることを特徴とする収納ボックス。
【請求項２】
フタ２は磁石４を設けており、縁側に方形の鉄片６を設けていることを特徴とする請求項１に記載の収納ボックス。
【請求項３】
ボックス１の後面の上部と下部に面ファスナー５を設けていることを特徴とする請求項２に記載の収納ボックス。
【請求項４】
ボックス１は内部に折り畳み式の敷板７を設けていることを特徴とする請求項３に記載の収納ボックス。
【請求項５】
ボックス１の前面突出部はボックス１の底部までの垂直距離がボックス１の高さの１／４〜１／２であることを特徴とする請求項４に記載の収納ボックス。
【請求項６】
斜め上に向く開け口の両辺は垂直方向との角度が２０°〜４５°であることを特徴とする請求項５に記載の収納ボックス。
【請求項７】
ボックス１の両側にボックス１を折り畳みすることができるように垂直の折り目線を設けており、当該折り目線はボックス１の前面突出部の最前端からボックス１の後面までの距離の真ん中の位置に設けられていることを特徴とする請求項１乃至請求項６のいずれかに記載の収納ボックス。
【考案の詳細な説明】
【技術分野】
【０００１】
本考案は物を簡便にストレッジする収納ボックスに関するものである。
【背景技術】
【０００２】
収納ボックスは物をストレッジするボックスであり、ボックス本体とフタで構成される。従来の多くの収納ボックスのフタは本体の天井面につけられており、二つ以上のボックスを積み重ねた状態で、下段のボックスを開けることは困難であり、使用する上で不便であった。
【０００３】
本実用新案の収納ボックスは主に本体とフタで構成されており、本体のフロント部にフタを設けており、フタの底部と本体のフロント面、本体の上部両側及び本体両側の上部に粘着できる面ファスナー（マジックテープ（登録商標））が付けられている。
【考案の概要】
【考案が解決しようとする課題】
【０００４】
本考案の収納ボックスは従来の上記のような収納ボックスの積み重ねる上での利用不便の問題を解決するために成されたものである。
【課題を解決するための手段】
【０００５】
本新型収納ボックスのフタは斜面になる本体の前方開け口に設けており、二つ以上のボックスを積み重ねた状態でも、下段のボックスを開けるために上段のボックスを移動する必要がなく、便利に使用できる。取り出し口が斜め上に向く設計を取って成形されているので、使用上の便利性、簡便性が向上している。
【０００６】
また、本体の両側から見ると開け口は尖っている角型になっており、フタを開けたままの状態で、ボックス１前方突出部はボックスの底部までの垂直距離はボックス本体高さの１／４〜１／２になっていることにより、ボックス１内の収納物の転落を防ぐことができる。
【０００７】
そして、本体内の敷板７は不織布で二つ板段ボールを結合し構成されているので、ボックス１の前面突出部に対して支持する機能も持ち、簡便且つ巧みな効果を向上する。
【０００８】
更に、フタ２に磁石が付けられており、二つ以上のボックスを積み重ねている状態で、下段ボックスのフタは上にあるボックスのフタの縁側につけられている磁石に吸着され、フタを開けたままで固定できる。手でフタを上げながら収納物を取出す必要がなくなることにより、更に便利性が向上する。
【０００９】
更に、フタ２に磁石と鉄片がそれぞれ付けられており、二つ以上のボックスを積み重ねている状態で、下段ボックスのフタ２の磁石は上にあるボックスのフタ２の縁側につけられている鉄片に吸着され、フタ２を開けたままで固定できる。手でフタを上げながら収納物を取出す必要がなくなることにより、更に便利性が向上する。
【００１０】
ボックスの後面の上側と下側に面ファスナー（マジックテープ（登録商標））を設けており、二つ以上のボックスを積み重ねた状態で、下段にあるボックスの後面上側にある面ファスナー（マジックテープ（登録商標））と上のボックスの後面下側にある面ファスナー（マジックテープ（登録商標））をお互いに粘着することにより、ボックスを高く積み重ねても、重心を固めることができ、またフタと本体の両側板は上部の板に対する支持力を強め、ボックス全体の荷重の能力を高める。
【考案の効果】
【００１１】
以上のように本新型収納ボックスは折り畳み式ボックスであり、容易に組み立てや取り外すことができ、折り畳んだ後にさらに小さくなり、空間の狭いところで便利に利用できる
【図面の簡単な説明】
【００１２】
【図１】図１は本新型収納ボックスの折り畳み状態を示す図である。
【図２】図２は本新型収納ボックスの組み立て状態を示す図である。
【図３】図３は本新型収納ボックスの構造を示す図である。
【図４】図４は本新型収納ボックスのフタを閉じている状態を示す参考図である。
【図５】図５は二つの収納ボックスを積み重ねる状態の正面参考図である。
【図６】図６は二つの収納ボックスを積み重ねる状態の後面参考図である。
【考案を実施するための形態】
【００１３】
以下に図面を参照しながら本考案を実施するための形態について詳細に説明する。
【実施例】
【００１４】
図３及び４で示しているように、本新型収納ボックスは本体１とフタ２で構成されている。本体１の前方にフタ２を設けており、フタ２の下側に面ファスナー（マジックテープ（登録商標））３を設けており、本体１の前方取り出し口の縁側も面ファスナー（マジックテープ（登録商標））３が設けられており、二つの面ファスナー（マジックテープ（登録商標））３の粘着でフタ２を閉じる。
【００１５】
図３及び５で示しているように、フタ２の対立位置に二つの磁石４を設けており、フタ２の縁側に方形の鉄片６が設けられており、二つ以上のボックスを積み重ねた状態で、下段のボックスのフタ２を開けると磁石４が、上段のボックスのフタ２の縁側の方形の鉄片６に吸着される。
【００１６】
図６で示しているように、ボックス本体１の後面の上側及び下側の対応位置にいくつかの面ファスナー（マジックテープ（登録商標））５が設けられており、二つ以上のボックスを積み重ねた状態で、下段のボックスの後面上側の面ファスナー（マジックテープ（登録商標））５と上にあるボックスの後面下側の面ファスナー（マジックテープ（登録商標））５を粘着させることができる。
【符号の説明】
【００１７】
１    収納ボックス本体
２    収納ボックスフタ
３    面ファスナー（マジックテープ（登録商標））
４    磁石
５    面ファスナー（マジックテープ（登録商標））
６    方形の鉄片
７    敷板
【図１】
0003200229.tif 000003
【図２】
0003200229.tif 000004
【図３】
0003200229.tif 000005
【図４】
0003200229.tif 000006
【図５】
0003200229.tif 000007
【図６】
0003200229.tif 000008